(57)【要約】【課題】イベント会場に設置される印刷システムの構築にかかるコストを低減する。【解決手段】印刷データを用いて印刷する印刷機に前記印刷データを送信する印刷中継装置との間で、無線通信可能な携帯端末であって、被写体を撮影して撮像画像を含む撮像画像データを生成する撮影部と、撮影画像に対するユーザの印刷指令を受け付ける操作部と、印刷中継装置と無線通信する通信部と、通信部による通信を用いて、印刷中継装置のデータ処理の状態を監視する制御部と、を備え、制御部は、印刷中継装置がデータ処理可能な状態にあることを検出した場合、印刷指令の対象となる撮像画像データに基づくデータを、上記印刷中継装置へ通信部から送信させる。【選択図】図２
2015180002.tif 000002
【特許請求の範囲】
【請求項１】
印刷データを用いて印刷する印刷機に前記印刷データを送信する印刷中継装置との間で、無線通信可能な携帯端末であって、
被写体を撮影して撮像画像を含む撮像画像データを生成する撮影部と、
前記撮影画像または画像に対するユーザの印刷指令を受け付ける操作部と、
前記印刷中継装置と無線通信する通信部と、
前記通信部による通信を用いて、前記印刷中継装置のデータ処理の状態を監視する制御部と、
を備え、
前記制御部は、前記印刷中継装置がデータ処理可能な状態にあることを検出した場合、印刷指令の対象となる画像データに基づくデータを、前記印刷中継装置へ前記通信部から送信させる
携帯端末。
【請求項２】
前記撮像部は、複数回撮影することで複数の前記撮像画像データを生成し、
前記操作部は、複数の撮像画像から印刷する撮像画像を選択する操作を前記印刷指令としてユーザから受け付ける
請求項１に記載の携帯端末。
【請求項３】
情報を表示する表示部を更に備え、
前記制御部は、ユーザが行った印刷指令を前記表示部に表示させる
請求項１または２に記載の携帯端末。
【請求項４】
前記制御部は、前記印刷指令とともに、各印刷指令の対象となる撮像画像データに基づくデータの送信状態、各印刷指令の対象となる撮像画像データに基づくデータの処理順序、各印刷指令の印刷終了推定時刻、または各印刷指令の印刷終了までに要する残り時間の少なくとも一つを前記表示部に表示させる
請求項３に記載の携帯端末。
【請求項５】
前記制御部は、前記操作部で印刷指令を既に受け付けたが前記印刷中継装置で未処理である撮像画像の枚数、及び撮像画像一枚あたりの前記印刷機の印刷時間を用いて、前記印刷終了推定時刻または前記残り時間を算出する
請求項４に記載の携帯端末。
【請求項６】
前記制御部は、前記印刷中継装置の受信可否、前記印刷中継装置の画像処理可否、前記印刷機の印刷可否、前記操作部で印刷指令を既に受け付けたが前記印刷中継装置で未処理である印刷指令件数、または撮像画像一枚あたりの印刷に要する時間のうち少なくとも一つを管理する
請求項１から５のいずれか一項に記載の携帯端末。
【請求項７】
印刷データを用いて印刷する印刷機に前記印刷データを送信する複数の印刷中継装置との間で、無線通信可能な携帯端末であって、
被写体を撮影して撮像画像を含む撮像画像データを生成する撮影部と、
前記撮影画像または画像に対するユーザの印刷指令を受け付ける操作部と、
前記複数の印刷中継装置と無線通信する通信部と、
前記通信部を制御して前記複数の印刷中継装置を検知し、検知結果を用いて決定される印刷中継装置へ、前記印刷指令の対象となる画像データに基づくデータを前記通信部から送信させる制御部と、
を備える携帯端末。
【請求項８】
前記制御部は、前記複数の印刷中継装置のうち、利用可能な印刷中継装置、または使用の優先度が予め決められた設定値よりも高い印刷中継装置を検知する
請求項７に記載の携帯端末。
【請求項９】
前記優先度は、前記印刷中継装置が接続している印刷機が有する消耗品の残量、前記印刷中継装置の単位時間あたりの処理量、または前記印刷中継装置が接続している印刷機の設置場所のうち少なくとも一つから決められている
請求項８に記載の携帯端末。
【請求項１０】
情報を表示する表示部を更に備え、
前記制御部は、前記検知結果を用いて、利用可能な印刷中継装置を前記表示部に一覧表示させ、
前記操作部は、前記一覧表示された複数の印刷中継装置のうちから一つの印刷中継装置を選択する操作をユーザから受け付け、
前記制御部は、前記ユーザにより選択された前記印刷中継装置がデータ処理可能である場合、前記ユーザにより選択された前記印刷中継装置に前記撮像画像データに基づくデータを前記通信部から送信させる
請求項７に記載の携帯端末。
【請求項１１】
情報を表示する表示部を更に備え、
前記制御部は、ユーザが行った印刷指令と、前記印刷指令で印刷が実行される印刷機との組を前記表示部に表示させ、
前記操作部は、前記表示された印刷指令に含まれる印刷指令で印刷する印刷機を変更する操作をユーザから受け付け、
前記制御部は、前記ユーザによる変更後の印刷機に接続された印刷中継装置がデータ処理可能である場合、前記ユーザによる変更後の前記印刷機に接続された印刷中継装置へ、前記撮像画像データに基づくデータを前記通信部から送信させる
請求項７に記載の携帯端末。
【請求項１２】
前記撮影画像データに対して予め設定された情報を合成して印刷用画像データを前記撮像画像データに基づくデータとして生成する画像処理部を更に備える請求項１から１１のいずれか一項に記載の携帯端末。
【請求項１３】
前記印刷中継装置は、前記印刷機と有線で接続され前記印刷データを前記印刷機に送信するシングルボードコンピュータを備える
請求項１から１２のいずれか一項に記載の携帯端末。
【請求項１４】
前記印刷中継装置は、前記シングルボードコンピュータに外付けで接続され、当該携帯端末と無線通信可能な無線通信装置を更に備える
請求項１３に記載の携帯端末。
【請求項１５】
印刷データを用いて印刷する印刷機に前記印刷データを送信する印刷中継装置と、
前記印刷中継装置との間で、無線通信可能な携帯端末と、
を備え、
前記携帯端末は、
被写体を撮影して撮像画像を含む撮像画像データを生成する撮影部と、
前記撮影画像または画像に対するユーザの印刷指令を受け付ける操作部と、
前記印刷中継装置と無線通信する通信部と、
前記通信部による通信を用いて、前記印刷中継装置のデータ処理の状態を監視する制御部と、
を有し、
前記制御部は、前記印刷中継装置がデータ処理可能な状態にあることを検出した場合、印刷指令の対象となる画像データに基づくデータを、前記印刷中継装置へ前記通信部から送信させる
印刷システム。
【請求項１６】
印刷データを用いて印刷する印刷機に前記印刷データを送信する印刷中継装置との間で、無線通信可能な携帯端末が実行する情報処理方法であって、
撮影部が、被写体を撮影して撮像画像を含む撮像画像データを生成し、
操作部が、前記撮影画像または画像に対するユーザの印刷指令を受け付け、
通信部が、前記印刷中継装置と無線通信し、
制御部が、前記通信部による通信を用いて、前記印刷中継装置のデータ処理の状態を監視し、
前記制御部が、前記印刷中継装置がデータ処理可能な状態にあることを検出した場合、印刷指令の対象となる画像データに基づくデータを、前記印刷中継装置へ前記通信部から送信させる、
情報処理方法。
【請求項１７】
被写体を撮影して撮像画像を含む撮像画像データを生成する撮影部と、前記撮影画像または画像に対するユーザの印刷指令を受け付ける操作部と、印刷データを用いて印刷する印刷機に前記印刷データを送信する印刷中継装置との間で無線通信する通信部と、を備える携帯端末を、
前記通信部による通信を用いて、前記印刷中継装置のデータ処理の状態を監視する制御部、
として機能させるためのプログラムであって、
前記制御部は、前記印刷中継装置がデータ処理可能な状態にあることを検出した場合、印刷指令の対象となる画像データに基づくデータを、前記印刷中継装置へ前記通信部から送信させるプログラム。
【請求項１８】
印刷データを用いて印刷する印刷機に前記印刷データを送信する複数の印刷中継装置と、
前記複数の印刷中継装置との間で、無線通信可能な携帯端末と、
を備え、
前記携帯端末は、
被写体を撮影して撮像画像または画像を含む撮像画像データを生成する撮影部と、
前記撮影画像に対するユーザの印刷指令を受け付ける操作部と、
前記複数の印刷中継装置と無線通信する通信部と、
前記通信部を制御して前記複数の印刷中継装置を検知し、検知結果を用いて決定される印刷中継装置へ、前記印刷指令の対象となる画像データに基づくデータを前記通信部から送信させる制御部と、
を有する印刷システム。
【請求項１９】
印刷データを用いて印刷する印刷機に前記印刷データを送信する印刷中継装置との間で、無線通信可能な携帯端末であって、
撮影部が、被写体を撮影して撮像画像を含む撮像画像データを生成し、
操作部が、前記撮影画像または画像に対するユーザの印刷指令を受け付け、
通信部が、前記複数の印刷中継装置と無線通信し、
制御部が、前記通信部を制御して前記複数の印刷中継装置を検知し、検知結果を用いて決定された印刷中継装置へ、前記印刷指令の対象となる画像データに基づくデータを前記通信部から送信させる、
情報処理方法。
【請求項２０】
被写体を撮影して撮像画像を含む撮像画像データを生成する撮影部と、前記撮影画像または画像に対するユーザの印刷指令を受け付ける操作部と、印刷データを用いて印刷する印刷機に前記印刷データを送信する印刷中継装置との間で無線通信する通信部と、を備える携帯端末を、
前記通信部を制御して前記複数の印刷中継装置を検知し、検知結果を用いて決定された印刷中継装置へ、前記印刷指令の対象となる画像データに基づくデータを前記通信部から送信させる制御部、
として機能させるためのプログラム。
【発明の詳細な説明】
【技術分野】
【０００１】
本発明は、携帯端末、印刷システム、情報処理方法及びプログラムに関する。
【背景技術】
【０００２】
デジタルカメラで撮影した画像を印刷する方法としては、画像が記録されたＳＤカードなどの記録メディアを印刷店に持って行って、印刷を注文することや、自宅の印刷機で印刷することなどが考えられる。一方、イベントの際に撮影した画像については、複数のイベント参加者の間で画像を共有するために、画像をその場で印刷することが望まれる。このような需要に応えるために、例えば特許文献１において、イベント会場に設置され、デジタルカメラから無線で送信された画像を印刷する印刷機を備えた写真サービスシステムが提案されている。
【先行技術文献】
【特許文献】
【０００３】
【特許文献１】特開２００１−１９７４０７号公報
【発明の概要】
【発明が解決しようとする課題】
【０００４】
多くの参加者が参加するイベントにおいて、各参加者の携帯端末から印刷機に画像データが送信される場合がある。このような場合であっても、画像データにより特定される画像を印刷可能な印刷システムを安価に構築することが課題である。
【０００５】
本発明は、このような課題を解決し得る携帯端末、印刷システム、情報処理方法及びプログラムを提供することを目的とする。
【課題を解決するための手段】
【０００６】
本発明の一態様による携帯端末は、印刷データを用いて印刷する印刷機に前記印刷データを送信する印刷中継装置との間で、無線通信可能な携帯端末であって、被写体を撮影して撮像画像を含む撮像画像データを生成する撮影部と、前記撮影画像または画像に対するユーザの印刷指令を受け付ける操作部と、前記印刷中継装置と無線通信する通信部と、前記通信部による通信を用いて、前記印刷中継装置のデータ処理の状態を監視する制御部と、を備え、前記制御部は、前記印刷中継装置がデータ処理可能な状態にあることを検出した場合、印刷指令の対象となる画像データに基づくデータを、前記印刷中継装置へ前記通信部から送信させる。
【０００７】
本発明の一態様による携帯端末において、前記撮像部は、複数回撮影することで複数の前記撮像画像データを生成し、前記操作部は、複数の撮像画像から印刷する撮像画像を選択する操作を前記印刷指令としてユーザから受け付ける。
【０００８】
本発明の一態様による携帯端末において、情報を表示する表示部を更に備え、前記制御部は、ユーザが行った印刷指令を前記表示部に表示させる。
【０００９】
本発明の一態様による携帯端末において、前記制御部は、前記印刷指令とともに、各印刷指令の対象となる撮像画像データに基づくデータの送信状態、各印刷指令の対象となる撮像画像データに基づくデータの処理順序、各印刷指令の印刷終了推定時刻、または各印刷指令の印刷終了までに要する残り時間の少なくとも一つを前記表示部に表示させる。
【００１０】
本発明の一態様による携帯端末において、前記制御部は、前記操作部で印刷指令を既に受け付けたが前記印刷中継装置で未処理である撮像画像の枚数、及び撮像画像一枚あたりの前記印刷機の印刷時間を用いて、前記印刷終了推定時刻または前記残り時間を算出する。
【００１１】
本発明の一態様による携帯端末において、前記制御部は、前記印刷中継装置の受信可否、前記印刷中継装置の画像処理可否、前記印刷機の印刷可否、前記操作部で印刷指令を既に受け付けたが前記印刷中継装置で未処理である印刷指令件数、または撮像画像一枚あたりの印刷に要する時間のうち少なくとも一つを管理する。
【００１２】
本発明の一態様による携帯端末は、印刷データを用いて印刷する印刷機に前記印刷データを送信する複数の印刷中継装置との間で、無線通信可能な携帯端末であって、被写体を撮影して撮像画像を含む撮像画像データを生成する撮影部と、前記撮影画像または画像に対するユーザの印刷指令を受け付ける操作部と、前記複数の印刷中継装置と無線通信する通信部と、前記通信部を制御して前記複数の印刷中継装置を検知し、検知結果を用いて決定される印刷中継装置へ、前記印刷指令の対象となる画像データに基づくデータを前記通信部から送信させる制御部と、を備える。
【００１３】
本発明の一態様による携帯端末において、前記制御部は、前記複数の印刷中継装置のうち、利用可能な印刷中継装置、または使用の優先度が予め決められた設定値よりも高い印刷中継装置を検知する。
【００１４】
本発明の一態様による携帯端末において、前記優先度は、前記印刷中継装置が接続している印刷機が有する消耗品の残量、前記印刷中継装置の単位時間あたりの処理量、または前記印刷中継装置が接続している印刷機の設置場所のうち少なくとも一つから決められている。
【００１５】
本発明の一態様による携帯端末において、情報を表示する表示部を更に備え、前記制御部は、前記検知結果を用いて、利用可能な印刷中継装置を前記表示部に一覧表示させ、前記操作部は、前記一覧表示された複数の印刷中継装置のうちから一つの印刷中継装置を選択する操作をユーザから受け付け、前記制御部は、前記ユーザにより選択された前記印刷中継装置がデータ処理可能である場合、前記ユーザにより選択された前記印刷中継装置に前記撮像画像データに基づくデータを前記通信部から送信させる。
【００１６】
本発明の一態様による携帯端末において、情報を表示する表示部を更に備え、前記制御部は、ユーザが行った印刷指令と、前記印刷指令で印刷が実行される印刷機との組を前記表示部に表示させ、前記操作部は、前記表示された印刷指令に含まれる印刷指令で印刷する印刷機を変更する操作をユーザから受け付け、前記制御部は、前記ユーザによる変更後の印刷機に接続された印刷中継装置がデータ処理可能である場合、前記ユーザによる変更後の前記印刷機に接続された印刷中継装置へ、前記撮像画像データに基づくデータを前記通信部から送信させる。
【００１７】
本発明の一態様による携帯端末において、前記撮影画像データに対して予め設定された情報を合成して印刷用画像データを前記撮像画像データに基づくデータとして生成する画像処理部を更に備える。
【００１８】
本発明の一態様による携帯端末において、前記印刷中継装置は、前記印刷機と有線で接続され前記印刷データを前記印刷機に送信するシングルボードコンピュータを備える。
【００１９】
本発明の一態様による携帯端末において、前記印刷中継装置は、前記シングルボードコンピュータに外付けで接続され、当該携帯端末と無線通信可能な無線通信装置を更に備える。
【００２０】
本発明の一態様による印刷システムは、印刷データを用いて印刷する印刷機に前記印刷データを送信する印刷中継装置と、前記印刷中継装置との間で、無線通信可能な携帯端末と、を備え、前記携帯端末は、被写体を撮影して撮像画像を含む撮像画像データを生成する撮影部と、前記撮影画像または画像に対するユーザの印刷指令を受け付ける操作部と、前記印刷中継装置と無線通信する通信部と、前記通信部による通信を用いて、前記印刷中継装置のデータ処理の状態を監視する制御部と、を有し、前記制御部は、前記印刷中継装置がデータ処理可能な状態にあることを検出した場合、印刷指令の対象となる画像データに基づくデータを、前記印刷中継装置へ前記通信部から送信させる。
【００２１】
本発明の一態様による情報処理方法は、印刷データを用いて印刷する印刷機に前記印刷データを送信する印刷中継装置との間で、無線通信可能な携帯端末が実行する情報処理方法であって、撮影部が、被写体を撮影して撮像画像を含む撮像画像データを生成し、操作部が、前記撮影画像または画像に対するユーザの印刷指令を受け付け、通信部が、前記印刷中継装置と無線通信し、制御部が、前記通信部による通信を用いて、前記印刷中継装置のデータ処理の状態を監視し、前記制御部が、前記印刷中継装置がデータ処理可能な状態にあることを検出した場合、印刷指令の対象となる画像データに基づくデータを、前記印刷中継装置へ前記通信部から送信させる。
【００２２】
本発明の一態様によるプログラムは、被写体を撮影して撮像画像を含む撮像画像データを生成する撮影部と、前記撮影画像または画像に対するユーザの印刷指令を受け付ける操作部と、印刷データを用いて印刷する印刷機に前記印刷データを送信する印刷中継装置との間で無線通信する通信部と、を備える携帯端末を、前記通信部による通信を用いて、前記印刷中継装置のデータ処理の状態を監視する制御部、として機能させるためのプログラムであって、前記制御部は、前記印刷中継装置がデータ処理可能な状態にあることを検出した場合、印刷指令の対象となる画像データに基づくデータを、前記印刷中継装置へ前記通信部から送信させる。
【００２３】
本発明の一態様による印刷システムは、印刷データを用いて印刷する印刷機に前記印刷データを送信する複数の印刷中継装置と、前記複数の印刷中継装置との間で、無線通信可能な携帯端末と、を備え、前記携帯端末は、被写体を撮影して撮像画像を含む撮像画像データを生成する撮影部と、前記撮影画像または画像に対するユーザの印刷指令を受け付ける操作部と、前記複数の印刷中継装置と無線通信する通信部と、前記通信部を制御して前記複数の印刷中継装置を検知し、検知結果を用いて決定される印刷中継装置へ、前記印刷指令の対象となる画像データに基づくデータを前記通信部から送信させる制御部と、を有する。
【００２４】
本発明の一態様による情報処理方法は、印刷データを用いて印刷する印刷機に前記印刷データを送信する印刷中継装置との間で、無線通信可能な携帯端末であって、撮影部が、被写体を撮影して撮像画像を含む撮像画像データを生成し、操作部が、前記撮影画像または画像に対するユーザの印刷指令を受け付け、通信部が、前記複数の印刷中継装置と無線通信し、制御部が、前記通信部を制御して前記複数の印刷中継装置を検知し、検知結果を用いて決定された印刷中継装置へ、前記印刷指令の対象となる画像データに基づくデータを前記通信部から送信させる。
【００２５】
本発明の一態様によるプログラムは、被写体を撮影して撮像画像を含む撮像画像データを生成する撮影部と、前記撮影画像または画像に対するユーザの印刷指令を受け付ける操作部と、印刷データを用いて印刷する印刷機に前記印刷データを送信する印刷中継装置との間で無線通信する通信部と、を備える携帯端末を、前記通信部を制御して前記複数の印刷中継装置を検知し、検知結果を用いて決定された印刷中継装置へ、前記印刷指令の対象となる画像データに基づくデータを前記通信部から送信させる制御部、として機能させるためのプログラムである。
【発明の効果】
【００２６】
本発明によれば、携帯端末は、印刷中継装置が新たな印刷用画像データを処理可能な状態にある場合に、印刷指令の対象となる撮像画像データに基づくデータをその印刷中継装置へ送信するので、印刷中継装置の単位時間あたりの処理量を落とすことができる。これにより、印刷中継装置のコストを低減することができ、イベント会場に設置される印刷システムの構築にかかるコストを低減することができる。
【図面の簡単な説明】
【００２７】
【図１】図１は、第１の実施形態に係る印刷システム１の概略構成の一例を示す図である。
【図２】図２は、第１の実施形態に係る携帯端末ＭＴの概略構成の一例を示す図である。
【図３】図３は、第１の実施形態に係る携帯端末ＭＴが表示する印刷指令の一覧画面の一例を示す図である。
【図４】図４は、第１の実施形態に係る印刷中継装置ＰＲの概略構成の一例を示す図である。
【図５】図５は、第１の実施形態に係る印刷管理装置ＰＭの概略構成の一例を示す図である。
【図６】図６は、第１の実施形態に係る印刷システム１が実行する印刷方法の一例を示すフローチャートである。
【図７】図７は、第２の実施形態に係る印刷システム２の概略構成の一例を示す図である。
【図８】図８は、第２の実施形態に係る印刷システム２が実行する印刷方法の一例を示すフローチャートである。
【発明を実施するための形態】
【００２８】
以下、本発明の実施の形態を図面に基づいて説明する。
【００２９】
（第１の実施形態）
まず、第１の実施形態に係る印刷システム１の構成について図１を用いて説明する。図１は、第１の実施形態に係る印刷システム１の概略構成の一例を示す図である。印刷システム１は、携帯端末ＭＴ−１、…、ＭＴ−ＮまでのＮ台（Ｎは自然数）の携帯端末ＭＴ−ｉ（ｉは１からＮまでの整数）、印刷管理装置ＰＭ、印刷中継装置ＰＲ、及び印刷機ＰＴを備える。
【００３０】
携帯端末ＭＴ−１、…、ＭＴ−Ｎは、無線ＬＡＮ（Local Area Network）によるデータ通信機能を有しており、印刷中継装置ＰＲとの間で無線通信する。携帯端末ＭＴ−１、…、ＭＴ−Ｎは、例えば、携帯電話、スマートフォン、またはタブレット端末などである。
【００３１】
携帯端末ＭＴ−１、…、ＭＴ−Ｎは、被写体を撮影し撮影画像を含む撮影画像データを保存する。携帯端末ＭＴ−１、…、ＭＴ−Ｎは、撮影画像に対して画像処理を施して印刷用画像データを生成する。携帯端末ＭＴ−１、…、ＭＴ−Ｎは、複数の撮影画像から印刷する撮影画像を選択するユーザの操作を印刷指令として受け付け、印刷指令を管理する。携帯端末ＭＴ−１、…、ＭＴ−Ｎは、印刷管理装置ＰＭの容量及び／または処理量の制限から、ユーザによる印刷指令を印刷用のアプリケーション（以下、印刷用アプリという）で管理する。携帯端末ＭＴ−１、…、ＭＴ−Ｎは、印刷管理装置ＰＭのデータ処理の状態を監視し、データ処理可能な状態にあることを検出した場合、未処理の印刷指令の対象となる印刷用画像データを印刷管理装置ＰＭへ無線送信する。以下、携帯端末ＭＴ−１、…、ＭＴ−Ｎを総称して携帯端末ＭＴという。
【００３２】
印刷管理装置ＰＭは、無線ＬＡＮによるデータ通信機能を有しており、印刷中継装置ＰＲとの間で無線通信する。印刷管理装置ＰＭは、印刷中継装置ＰＲのデータ処理の状態を監視し、監視した結果を表示する。なお、印刷管理装置ＰＭは、携帯端末ＭＴからの情報を受け付けないものとする。印刷管理装置ＰＭは、例えば、携帯電話、スマートフォン、またはタブレット端末などの携帯端末であり、本実態形態では一例としてタブレット端末であるとものとして以下説明する。
【００３３】
印刷中継装置ＰＲは、無線ＬＡＮによるデータ通信機能を有しており、携帯端末ＭＴとの間で無線通信する。また、印刷中継装置ＰＲは、印刷機ＰＴと例えば有線で接続されている。例えば、印刷中継装置ＰＲは、携帯端末ＭＴから無線送信された印刷データ用画像を受信し、受信した印刷データ用画像に対して画像処理と色調整（カラーマネジメント）を施して印刷データを生成する。そして、印刷中継装置ＰＲは、生成した印刷データを印刷機ＰＴに送信する。
【００３４】
なお、印刷中継装置ＰＲは、印刷機ＰＴと有線で接続されていると説明したが、これに限ったものではなく、印刷機ＰＴと有線で接続されていない場合がある。その場合、印刷中継装置ＰＲは、生成した印刷データを印刷機ＰＴに無線送信してもよい。
【００３５】
ここで、第１の実施形態に係る印刷中継装置ＰＲは、例えば、印刷機ＰＴと有線で接続され印刷データを印刷機ＰＴに送信するシングルボードコンピュータＳＢＣと、シングルボードコンピュータＳＢＣに外付けで接続され、携帯端末ＭＴと無線通信可能な無線通信装置ＷＣとを備える。
【００３６】
ここで、シングルボードコンピュータＳＢＣは、１枚の回路基板に単体のコンピュータとして動作するのに必要な全ての機能及び要素を実装したものである。より具体的には、シングルボードコンピュータＳＢＣは、例えば、限定されたハードウェアスペックを有するオープンソースボード上でＬｉｎｕｘ（登録商標）及びアプリケーションを動作させたものである。印刷中継装置ＰＲは、このように限定されたハードウェアスペックを有するため、容量及び／または処理量の制限がある。このため、一度に保持できる受信データ数または受信データ量、及び／または一度に画像処理して印刷制御できるデータ数または単位時間あたりの処理量が制限される。第１の実施形態において、その制限は一例として、一度に扱える印刷用画像データの数が一つであるという制限である。シングルボードコンピュータを用いることで、印刷中継装置ＰＲのコストを抑えることができる。
【００３７】
なお、印刷中継装置ＰＲは、シングルボードコンピュータＳＢＣを備えるとしたが、これに限ったものではない。印刷中継装置ＰＲは、シングルボードコンピュータＳＢＣに代わりに、複数（例えば、２、３枚）の回路基板を備える場合もある。この場合、これらの複数の回路基板に単体のコンピュータとして動作するのに必要な全ての機能及び要素を実装し、これらの複数の回路基板が、本実施形態に係るシングルボードコンピュータＳＢＣと同様の機能を実現するようにしてもよい。
【００３８】
無線通信装置ＷＣは、例えば、無線ＬＡＮによるデータ通信機能を有する装置である。無線通信装置ＷＣが例えば外付けでシングルボードコンピュータＳＢＣに接続されることで、シングルボードコンピュータＳＢＣは無線ＬＡＮによるデータ通信が可能になる。
【００３９】
印刷機ＰＴは、印刷中継装置ＰＲから受信した印刷データを用いて、印刷する。これにより、この印刷データにより特定される画像が印刷される。
【００４０】
続いて、第１の実施形態に係る携帯端末ＭＴの構成について図２を用いて説明する。
【００４１】
図２は、第１の実施形態に係る携帯端末ＭＴの概略構成の一例を示す図である。図２に示すように、携帯端末ＭＴは、記憶部１１、ＲＡＭ（Random Access Memory）１２、ＣＰＵ（Central Processing Unit）１３、撮影部１４、通信部１５、及びタッチパネル１６を備える。これらの構成要素は、互いに内部バスによって接続されている。
【００４２】
記憶部１１には、印刷用アプリが記憶されている。
【００４３】
ＲＡＭ１２は、データを一次記憶する揮発性のメモリである。
【００４４】
撮影部１４は、被写体を撮影して撮影画像を含む撮影画像データを生成する。例えば、撮影部１４は、複数回撮影することで複数の撮像画像データを生成する。そして、撮影部１４は、生成した撮像画像データをＣＰＵ１３へ出力する。この撮影画像データは、ＣＰＵ１３により記憶部１１に記憶される。
【００４５】
通信部１５は、無線ＬＡＮによるデータ通信機能を有し、印刷中継装置ＰＲと無線通信する。
【００４６】
タッチパネル１６は、情報を表示するとともに、ユーザの操作を受け付ける。例えば、タッチパネル１６は、印刷対象となる画像を選択する操作を受け付ける。ここでタッチパネル１６は、操作部１６１及び情報を表示する表示部１６２を備える。
【００４７】
操作部１６１は、撮影画像または画像に対するユーザの印刷指令を受け付け、受け付けた印刷指令をＣＰＵ１３へ出力する。この印刷指令は、ＣＰＵ１３で管理される。また、例えば、操作部１６１は、複数の撮像画像から印刷する撮像画像を選択する操作を印刷指令としてユーザから受け付ける。
【００４８】
ＣＰＵ１３は、撮影部１４、通信部１５及びタッチパネル１６を制御する。またＣＰＵ１３は、記憶部１１に記憶されているアプリをＲＡＭ１２に読み出して実行することにより、画像処理部１３１及び制御部１３２として機能する。
【００４９】
画像処理部１３１は、撮影画像に対して画像処理及び色調整を施して印刷用画像データを生成する。具体的には例えば、画像処理部１３２は、撮影画像データに対して予め設定された情報を合成し、色調整して印刷用画像データを生成する。ここで、予め設定された情報は、例えば、当該印刷システム１が使用されるイベント（例えば、結婚式）毎に予め設定されたフレーム、イベント名及び／またはイベントが開催された日付などの文字情報、イベント会場特有のロゴなどの画像情報のうちの一部または全部の情報である。画像処理及び色調整後、画像処理部１３１は、印刷用画像データを制御部１３２に渡す。
【００５０】
制御部１３２は、通信部１５による通信を用いて、印刷中継装置ＰＲのデータ処理の状態を監視する。例えば、制御部１３２は、印刷中継装置ＰＲがデータ処理可能な状態にあることを検出した場合、未処理の印刷指令の対象となる画像データに基づくデータを、印刷中継装置ＰＲへ、通信部１５から送信させる。ここで、撮像画像データに基づくデータは、撮像画像データまたは撮影画像データに対して所定の処理（例えば、画像処理及び色調整）を施したデータ（例えば、印刷用画像データ）である。
【００５１】
また、制御部１３２は、印刷中継装置ＰＲの受信可否、印刷中継装置ＰＲの画像処理可否、印刷機ＰＴの印刷可否、操作部１６１で印刷指令を既に受け付けたが印刷中継装置ＰＲで未処理である印刷指令件数（以下、待ち受け数という）、または撮像画像一枚あたりの印刷に要する時間のうち少なくとも一つを管理する。
【００５２】
また、制御部１３２は、ユーザが行った印刷指令の一覧を表示部１６２に表示させる。その際、制御部１３２は、例えば、印刷指令の一覧とともに、各印刷指令の対象となる印刷用画像データの送信状態、各印刷指令の対象となる印刷用画像データの処理順序、各印刷指令の印刷終了推定時刻、または各印刷指令の印刷終了までに要する残り時間の少なくとも一つを表示部１６２に表示させてもよい。
【００５３】
更に、制御部１３２は、上記印刷指令の一覧とともに、各印刷指令の取り消し（または送信の取り消し）が受付可能なように表示部に情報を表示させてもよい。操作部１６１がある印刷指令の取り消し（または送信の取り消し）をユーザから受け付けた場合、制御部１３２は、その印刷指令（または送信）を取り消す。
【００５４】
また、各印刷指令の印刷終了推定時刻、または各印刷指令の印刷終了までに要する残り時間を表示部１６２に表示する場合、制御部１３２は、印刷終了推定時刻または残り時間を表示部１６２に表示させる前に、操作部１６１で印刷指令を既に受け付けたが印刷中継装置ＰＲで未処理である撮像画像の枚数（待ち処理数ともいう）Ｎ１、及び撮像画像一枚あたりの印刷機ＰＴの印刷時間Ｔ１を用いて、上記印刷終了推定時刻または上記残り時間を算出してもよい。撮像画像一枚あたりの印刷機ＰＴの印刷時間Ｔ１は、印画の際の条件を示す印画タイプ（印画サイズ、表面処理の有無、プリンタモデルなど）によって決められている。
【００５５】
ここで、オーバヘッド時間（調整時間）をＴ２とすると、上記残り時間ＴＲは、例えば、ＴＲ＝Ｎ１×Ｔ１＋Ｔ２＋Ｔ１である。なお、印刷機ＰＴが複数台で運用される場合、残り時間ＴＲは台数を考慮して算出されてもよい。
【００５６】
なお、ユーザの操作上は、印刷画像データを未だ印刷中継装置ＰＲへ送信していないが、制御部１３２が送信指示完了を示す情報を表示部１６２に表示させる場合がある。その場合、送信キューを管理する機能がアプリに設けられ、その制御部１３２は、このアプリ上で、印刷中継装置ＰＲのデータ処理の状態をバックグラウンドで監視し、印刷中継装置ＰＲがデータ処理可能な状態になったら、未処理の印刷画像データを送信し、必要に応じて完了結果を表示部１６２に表示してもよい。
【００５７】
続いて、第１の実施形態に係る携帯端末ＭＴが表示する印刷指令の一覧画面について図３を用いて説明する。図３は、第１の実施形態に係る携帯端末ＭＴが表示する印刷指令の一覧画面の一例を示す図である。図３に示すように、印刷指令を識別する番号（図３のＯｒｄｅｒ＃）、印刷指令の対象となる撮影画像のプレピュー（図３のＰｒｅｖｉｅｗ）、その印刷指令に含まれる撮影画像の数、各撮影画像の印刷部数、合計印刷枚数、ステータス（図３のＳｔａｔｕｓ）、印刷終了推定時刻（図３のＥｓｔｉｍａｔｅｄ  Ｔｉｍｅ）、プリンタを識別する情報（図３のＰｒｉｎｔｅｒ＃）が示されている。ステータスは、印刷完了（Ｃｏｍｐｌｅｔｅｄ）、印刷中（Ｐｒｉｎｔｉｎｇ）、印刷待ち（Ｗａｉｔｉｎｇ）、エラー（Ｅｒｒｏｒ）などを取り得る。
【００５８】
例えば、図３において、Ｏｒｄｅｒ＃が「０００２」の場合、そのＯｒｄｅｒ＃「０００２」が識別する印刷指令に含まれる撮影画像の数は２枚で、各撮影画像の印刷部数は１部であるので、合計印刷枚数は２（＝２×１）枚で、ステータスが印刷中（Ｐｒｉｎｔｉｎｇ）で、印刷終了推定時刻が「１５時１０分４０秒」で、印刷機は「ＰＲＴ１」であることが示されている。
【００５９】
続いて、第１の実施形態に係る印刷中継装置ＰＲの構成について図４を用いて説明する。図４は、第１の実施形態に係る印刷中継装置ＰＲの概略構成の一例を示す図である。図４に示すように印刷中継装置ＰＲは、無線通信装置ＷＣと、無線通信装置ＷＣが外付けで接続されたシングルボードコンピュータＳＢＣとを備える。例えば、無線通信装置ＷＣはＵＳＢ（Universal Serial Bus）インタフェース（図示せず）を備える。そのＵＳＢインタフェースは、シングルボードコンピュータＳＢＣが備えるＵＳＢインタフェース（図示せず）と接続されている。
【００６０】
無線通信装置ＷＣは、無線ＬＡＮによるデータ通信機能を有し、携帯端末ＭＴ及び印刷管理装置ＰＭと無線通信可能である。例えば、無線通信装置ＷＣは、携帯端末ＭＴから印刷用画像データを無線通信により取得する。
【００６１】
図４に示すように、シングルボードコンピュータＳＢＣは、記憶部３１、ＲＡＭ３２、入出力部３３、出力部３４、及びＣＰＵ３５を備える。これらの構成要素は、互いに内部バスによって接続されている。
【００６２】
記憶部３２には、ＣＰＵ３５が読み出して実行するための各種のプログラムが記憶されている。
【００６３】
ＲＡＭ３３は、データを一次記憶する揮発性のメモリである。
【００６４】
出力部３４は、印刷機ＰＴと接続された出力インタフェースである。
【００６５】
ＣＰＵ３５は、記憶部３２から各種のプログラムをＲＡＭ３３に読み出して実行することで、無線通信装置ＷＣ及び出力部３４を制御する。例えば、ＣＰＵ３５は、無線通信装置ＷＣが受信した印刷用画像データに対して、画像処理及び色調整を施すことで印刷データを生成する。そしてＣＰＵ３５は、印刷データを出力部３４から印刷機ＰＴへ出力させる。これにより、印刷データにより特定される画像が印刷機ＰＴで印刷される。ＣＰＵ３５は、印刷データを印刷機ＰＴへ出力後、ＲＡＭ３３に保持していた印刷データを削除する。
【００６６】
また、ＣＰＵ３５は、自身の処理状態を示す処理状態情報を無線通信装置ＷＣから携帯端末ＭＴへ送信させる。これにより、処理状態情報が、無線通信装置ＷＣから携帯端末ＭＴへ通知される。
【００６７】
続いて、第１の実施形態に係る印刷管理装置ＰＭの構成について図５を用いて説明する。図５は、第１の実施形態に係る印刷管理装置ＰＭの概略構成の一例を示す図である。図５に示すように印刷管理装置ＰＭは、通信部４１、記憶部４２、ＲＡＭ４３、タッチパネル４４、及びＣＰＵ４５を備える。これらの構成要素は、互いに内部バスによって接続されている。
【００６８】
通信部４１は、無線ＬＡＮによるデータ通信機能を有し、印刷中継装置ＰＲと無線通信可能である。例えば、通信部４１は、印刷中継装置ＰＲから処理状態情報を無線で受信する。
【００６９】
記憶部４２は、ＣＰＵ４５が読み出して実行するための各種のプログラムが記憶されている。
【００７０】
ＲＡＭ４３は、データを一次記憶する揮発性のメモリである。
【００７１】
タッチパネル４４は、ユーザにより操作を受け付けるとともに、ＣＰＵ４５の制御により情報を表示する。
【００７２】
ＣＰＵ４５は、記憶部４２から各種のプログラムをＲＡＭ４３に読み出して実行することで、通信部４１及びタッチパネル４４を制御する。例えば、ＣＰＵ４５は、通信部４１が受信した処理状態情報をタッチパネル４４に表示させる。これにより、印刷管理装置ＰＭの操作者は、印刷中継装置ＰＲのデータ処理の状態を監視することができる。
【００７３】
続いて、図６を用いて第１の実施形態に係る携帯端末ＭＴ、印刷中継装置ＰＲ、及び印刷機ＰＴの処理動作による印刷方法について説明する。
【００７４】
図６は、第１の実施形態に係る印刷システム１が実行する印刷方法の一例を示すフローチャートである。図６において、携帯端末ＭＴには、印刷用アプリが予め保存されているものとして、以下説明する。
【００７５】
（ステップＳ１０１）まず、携帯端末ＭＴは、ユーザによる印刷用アプリを起動させる操作を受けて、印刷用アプリを起動する。
【００７６】
（ステップＳ１０２）次に、携帯端末ＭＴは、被写体を撮影し、撮影画像に対し加工を施し、撮影画像を編集して、撮影画像データを得る。
【００７７】
（ステップＳ１０３）次に、携帯端末ＭＴは、印刷する撮影画像を選択する操作をユーザから受け付ける。
【００７８】
（ステップＳ１０４）次に、携帯端末ＭＴは、画像処理及び色調整を施して印刷用画像データを生成する。これにより、例えば、撮影画像データに対して予め設定された情報が合成された画像が印刷用画像データとして生成される。
【００７９】
（ステップＳ１０５）次に、携帯端末ＭＴは、印刷中継装置ＰＲのデータ処理の状態を監視し、印刷中継装置ＰＲがデータ処理可能な状態にあるか否か判定する。印刷中継装置ＰＲがデータ処理可能な状態にない場合（ＮＯ）、携帯端末ＭＴは、そのまま待機する。
【００８０】
（ステップＳ１０６）一方、ステップＳ１０５で、印刷中継装置ＰＲがデータ処理可能な状態にある場合（ステップＳ１０５  ＹＥＳ）、携帯端末ＭＴは、印刷用画像データを印刷中継装置ＰＲへ無線送信する。
【００８１】
上述したステップＳ１０１〜Ｓ１０６の処理により、携帯端末ＭＴは、印刷中継装置ＰＲのデータ処理の状態を監視し、印刷中継装置ＰＲがデータ処理可能な状態にある場合、印刷用画像データを印刷中継装置ＰＲへ無線送信する。
【００８２】
続いて、印刷用画像データの送信先である印刷中継装置ＰＲの処理について説明する。
【００８３】
（ステップＳ２０１）次に、印刷中継装置ＰＲは、ステップＳ１０６で無線送信された印刷用画像データを携帯端末ＭＴから受信する。
【００８４】
（ステップＳ２０２）次に、印刷中継装置ＰＲは、ステップＳ２０１で受信した印刷用画像データに対して画像処理及び色調整を施して印刷データを生成する。
【００８５】
（ステップＳ２０３）次に、印刷中継装置ＰＲは、ステップＳ２０２で生成した印刷データを印刷機ＰＴへ送信する。
【００８６】
上述したステップＳ２０１〜Ｓ２０３の処理により、印刷中継装置ＰＲは、携帯端末ＭＴから受信した印刷用画像データに基づく印刷データを印刷機ＰＴに送信する。
【００８７】
続いて、印刷データの送信先である印刷機ＰＴの処理について説明する。
【００８８】
（ステップＳ３０１）印刷機ＰＴは、ステップＳ２０３で送信された印刷データを受信する。
【００８９】
（ステップＳ３０２）次に、印刷機ＰＴは、ステップＳ３０１で受信した印刷データを用いて印刷する。これによりステップＳ３０１で受信した印刷データにより特定される画像が印刷される。
【００９０】
上述したステップＳ３０１〜Ｓ３０２の処理により、印刷機ＰＴは、ユーザが印刷指令を行った撮影画像を印刷することができる。
【００９１】
以上のように、第１の実施形態に係る携帯端末ＭＴ１、…、ＭＴ−Ｍは、印刷データを用いて印刷する印刷機ＰＴに印刷データを有線で送信する印刷中継装置ＰＲとの間で、無線通信可能である。携帯端末ＭＴ１、…、ＭＴ−Ｍは、被写体を撮影して撮像画像を含む撮像画像データを生成する撮影部１４を備える。更に、携帯端末ＭＴ１、…、ＭＴ−Ｍは、撮影画像または画像に対するユーザの印刷指令を受け付ける操作部１６１を備える。更に、携帯端末ＭＴ１、…、ＭＴ−Ｍは、印刷中継装置ＰＲと無線通信する通信部１５と、通信部１５による通信を用いて、印刷中継装置ＰＲのデータ処理の状態を監視する制御部１３２を備える。制御部１３２は、印刷中継装置ＰＲがデータ処理可能な状態にあることを検出した場合、未処理の印刷指令の対象となる画像データに基づくデータを、撮像画像データに基づくデータに対して画像処理を施して上記印刷データを生成する印刷中継装置ＰＲへ、通信部１５から送信させる。
【００９２】
従って、携帯端末ＭＴは、印刷中継装置ＰＲが新たな印刷用画像データを処理可能な状態にある場合に、未処理の印刷指令の対象となる画像データに基づくデータをその印刷中継装置へ送信するので、印刷システム１の機能を低減することなしに、印刷中継装置ＰＲの単位時間あたりの処理量を落とすことができる。これにより、印刷中継装置ＰＲのコストを低減することができ、イベント会場に設置される印刷システム１の構築にかかるコストを低減することができる。
【００９３】
（第２の実施形態）
続いて、第２の実施形態について説明する。第１の実施形態では、印刷中継装置及び印刷機がそれぞれ一台ずつであった。それに対して、第２の実施形態では、印刷中継装置及び印刷機の組を複数設ける。
【００９４】
まず、第２の実施形態に係る印刷システム２の構成について図７を用いて説明する。図７は、第２の実施形態に係る印刷システム２の概略構成の一例を示す図である。第２の実施形態に係る印刷システム２の構成は、第１の実施形態に係る印刷システム１の構成と比べて、印刷中継装置ＰＲが一台から印刷中継装置ＰＲ−１、ＰＲ−２、…、ＰＲ−ＭのＭ台（Ｍは２以上の整数）に変更され、印刷機ＰＴが一台から印刷機ＰＴ−１、ＰＴ−２、…、ＰＴ−ＭのＭ台に変更され、印刷管理装置ＰＭが削除されたものになっている。
【００９５】
携帯端末ＭＴ−１、ＭＴ−２、…、ＭＴ−Ｎのそれぞれは、印刷中継装置ＰＲ−１、ＰＲ−２、…、ＰＲ−Ｍのそれぞれと無線通信可能である。第２の実施形態に係る携帯端末ＭＴの構成は、第１の実施形態に係る携帯端末ＭＴの構成と同様であるので、その説明を省略する。
【００９６】
また、第２の実施形態に係る印刷中継装置ＰＲ−ｉ（ｉは１からＭまでの整数）それぞれは、シングルボードコンピュータＳＢＣ−ｉと、シングルボードコンピュータＳＢＣ−ｉに外付けで接続され、携帯端末ＭＴと無線通信可能な無線通信装置ＷＣ−ｉとを備える。第２の実施形態に係る印刷中継装置ＰＲ−ｉそれぞれの構成は、第１の実施形態に係る印刷中継装置ＰＲの構成と同様であるので、その説明を省略する。以下、印刷中継装置ＰＲ−１、ＰＲ−２、…、ＰＲ−Ｍを総称して、印刷中継装置ＰＲという。
【００９７】
また、第２の実施形態に係る印刷機ＰＴ−１、ＰＴ−２、…、ＰＴ−Ｍの構成は、第１の実施形態に係る印刷機ＰＴの構成と同様であるので、その説明を省略する。以下、印刷機ＰＴ−１、ＰＴ−２、…、ＰＴ−Ｍを総称して印刷機ＰＴという。
【００９８】
続いて、携帯端末ＭＴの動作について説明する。
【００９９】
制御部１３２は、通信部１５を制御して複数の印刷中継装置を検知し、検知結果を用いて決定される印刷中継装置へ、印刷指令の対象となる画像データに基づくデータを通信部１５から送信させる。その検知を行う際、制御部１３２は、複数の印刷中継装置のうち、利用可能な印刷中継装置、または使用の優先度が予め決められた設定値よりも高い印刷中継装置を検知する。ここで、この優先度は、印刷中継装置が接続している印刷機が有する消耗品（例えば、インクまたは印刷用紙）の残量、印刷中継装置の単位時間あたりの処理量、または印刷中継装置が接続している印刷機の設置場所のうち少なくとも一つから決められている。
【０１００】
また、制御部１３２は、検知結果を用いて、利用可能な印刷中継装置を表示部１６２に一覧表示させる。これにより、利用可能な印刷中継装置が表示される。操作部１６１は、一覧表示された複数の印刷中継装置のうちから一つの印刷中継装置を選択する操作をユーザから受け付ける。そして、制御部１３２は、ユーザにより選択された印刷中継装置がデータ処理可能である場合、ユーザにより選択された印刷中継装置に撮像画像データに基づくデータを通信部１５から送信させる。
【０１０１】
また、制御部１３２は、管理画面において、ユーザが行った印刷指令と、印刷指令で印刷が実行される印刷機との組を表示部１６２に表示させる。これにより、印刷指令の一覧を含む管理画面が表示される。この管理画面において、操作部１６１は、表示された印刷指令に含まれる印刷指令で印刷する印刷機を変更する操作をユーザから受け付ける。制御部１３２は、ユーザによる変更後の印刷機に接続された印刷中継装置制御部がデータ処理可能である場合、ユーザによる変更後の印刷機に接続された印刷中継装置へ、撮像画像データに基づくデータを通信部１５から送信させる。
【０１０２】
続いて、図８を用いて第２の実施形態に係る携帯端末ＭＴ、印刷中継装置ＰＲ、及び印刷機ＰＴの処理動作による印刷方法について説明する。
【０１０３】
図８は、第２の実施形態に係る印刷システム２が実行する印刷方法の一例を示すフローチャートである。図８において、携帯端末ＭＴには、印刷用アプリが予め保存されているものとして、以下説明する。
【０１０４】
（ステップＳ４０１）まず、携帯端末ＭＴは、ユーザによる印刷用アプリを起動させる操作を受けて、印刷用アプリを起動する。
【０１０５】
（ステップＳ４０２）次に、携帯端末ＭＴは、被写体を撮影し、撮影画像に対し加工を施し、撮影画像を編集して、撮影画像データを得る。
【０１０６】
（ステップＳ４０３）次に、携帯端末ＭＴは、印刷する撮影画像を選択する操作をユーザから受け付ける。
【０１０７】
（ステップＳ４０４）次に、携帯端末ＭＴは、画像処理及び色調整を施して印刷用画像データを生成する。これにより、例えば、撮影画像データに対して予め設定された情報が合成された画像が印刷用画像データとして生成される。
【０１０８】
（ステップＳ４０５）次に、携帯端末ＭＴは、利用可能な印刷中継装置を検知して、検知結果に基づいて、印刷用画像データを送信する印刷中継装置を選択する。
【０１０９】
（ステップＳ４０６）次に、携帯端末ＭＴは、選択した印刷中継装置へ印刷用画像データを無線送信する。
【０１１０】
上述したステップＳ４０１〜Ｓ４０６の処理により、携帯端末ＭＴは、利用可能な印刷中継装置から選択した印刷中継装置へ印刷用画像データを無線送信する。
【０１１１】
続いて、印刷用画像データの送信先の印刷中継装置ＰＲの処理について説明する。
【０１１２】
（ステップＳ５０１）次に、印刷中継装置ＰＲは、ステップＳ４０６で無線送信された印刷用画像データを携帯端末ＭＴから受信する。
【０１１３】
（ステップＳ５０２）次に、印刷中継装置ＰＲは、ステップＳ５０１で受信した印刷用画像データに対して画像処理及び色調整を施して印刷データを生成する。
【０１１４】
（ステップＳ５０３）次に、印刷中継装置ＰＲは、ステップＳ５０２で生成した印刷データを印刷機ＰＴへ送信する。
【０１１５】
上述したステップＳ５０１〜Ｓ５０３の処理により、印刷中継装置ＰＲは、携帯端末ＭＴから受信した印刷用画像データに基づく印刷データを印刷機ＰＴに送信する。
【０１１６】
続いて、印刷データの送信先の印刷機ＰＴの処理について説明する。
【０１１７】
（ステップＳ６０１）印刷機ＰＴは、ステップＳ５０３で送信された印刷データを受信する。
【０１１８】
（ステップＳ６０２）次に、印刷機ＰＴは、ステップＳ６０１で受信した印刷データにより特定される画像を印刷する。
【０１１９】
上述したステップＳ６０１〜Ｓ６０２の処理により、印刷機ＰＴは、ユーザが印刷指令を行った撮影画像を印刷する。
【０１２０】
以上のように、第２の実施形態に係る携帯端末ＭＴ１、…、ＭＴ−Ｍは、印刷データを用いて印刷する印刷機ＰＴに印刷データを有線で送信する複数の印刷中継装置ＰＲ１、…、ＰＲ−Ｍとの間で、無線通信可能である。携帯端末ＭＴ１、…、ＭＴ−Ｍは、被写体を撮影して撮像画像を含む撮像画像データを生成する撮影部１４を備える。更に、携帯端末ＭＴ１、…、ＭＴ−Ｍは、撮影画像または画像に対するユーザの印刷指令を受け付ける操作部１６１を備える。更に、携帯端末ＭＴ１、…、ＭＴ−Ｍは、複数の印刷中継装置と無線通信する通信部１５を備える。更に、携帯端末ＭＴ１、…、ＭＴ−Ｍは、通信部１５を制御して複数の印刷中継装置ＰＲ１、…、ＰＲ−Ｍを検知し、検知結果を用いて決定される印刷中継装置ＰＲへ、印刷指令の対象となる画像データに基づくデータを通信部１５から送信させる制御部１３２を備える。
【０１２１】
従って、複数の印刷中継装置ＰＲを介して複数の印刷機ＰＴで並行して印刷できるので、第１の実施形態に比べて、単位時間あたりの印刷可能枚数を増やすことができる。また、複数の印刷中継装置ＰＲを、シングルボードコンピュータＳＣＢと無線通信装置ＷＣとで実現することで、安価に、単位時間あたりの印刷可能枚数を増やすことができる。
【０１２２】
なお、一つの印刷指令で複数枚の印刷を実行する場合、制御部１３２は、複数の印刷中継装置に分散して印刷用画像データを送信してもよい。これにより、複数の印刷機が並列に印刷するので、印刷時間を短縮することができる。
【０１２３】
また、印刷機が複数になると印刷された用紙の引き取りに手間がかかるので、一つの印刷指令で複数枚の印刷を実行する場合、制御部１３２は、一つの印刷中継装置を占有して、その印刷中継装置に順次、印刷用画像データを送信してもよい。これにより、一つの印刷機から全ての画像が印刷されるので、印刷された用紙の引き取りの手間を軽減することができる。
【０１２４】
また、制御部１３２から、ある印刷中継装置への印刷用画像データの送信後に、印刷が完了できなかった場合は、制御部１３２は、他の印刷中継装置及び印刷機を使用して、印刷できなかった印刷用画像データを印刷させるようにしてもよい。あるいは、携帯端末ＭＴの制御部１３２で上記処理を行わず、印刷が完了できなかった印刷中継装置自身が、他の印刷中継装置と通信を行い、利用可能な他の印刷中継装置へ、そのデータ処理及び印刷を依頼してもよい。
【０１２５】
なお、各実施形態において、印刷中継装置ＰＲに表示装置が接続されて、印刷中継装置ＰＲは、印刷中継装置ＰＲにおける処理状態を示す処理状態情報をこの表示装置に表示してもよい。これにより、コンピュータを別途用意することなく、印刷中継装置ＰＲのデータ処理の状態を監視することができる。
【０１２６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１２７】
１、２  印刷システム
ＭＴ−１、…、ＭＴ−Ｎ、ＭＴ  携帯端末
ＰＭ  印刷管理装置
ＰＲ、ＰＲ−１、ＰＲ−２、…、ＰＲ−Ｍ  印刷中継装置
ＷＣ、ＷＣ−１、ＷＣ−２、…、ＷＣ−Ｍ  無線通信装置
ＳＢＣ、ＳＢＣ−１、ＳＢＣ−２、…、ＳＢＣ−Ｍ  シングルボードコンピュータ
ＰＴ、ＰＴ−１、ＰＴ−２、…、ＰＴ−Ｍ  印刷機
１１  記憶部
１２  ＲＡＭ
１３  ＣＰＵ
１３１  画像処理部
１３２  制御部
１４  撮影部
１５  通信部
１６  タッチパネル
３２  記憶部
３３  ＲＡＭ
３４  出力部
３５  ＣＰＵ
４１  通信部
４２  記憶部
４３  ＲＡＭ
４４  タッチパネル
４５  ＣＰＵ
【図１】
2015180002.tif 000003
【図２】
2015180002.tif 000004
【図４】
2015180002.tif 000005
【図５】
2015180002.tif 000006
【図６】
2015180002.tif 000007
【図７】
2015180002.tif 000008
【図８】
2015180002.tif 000009
【図３】
2015180002.tif 000010